(57)【要約】【課題】視点を路面から大きく離れることなくナビゲーションやスマートフォンの情報をドライバに対して表示可能な映像表示装置を提供する。【解決手段】乗り物に映像情報を表示する情報表示装置であって、ドライバには、乗り物のフロントガラス６とインストルメントパネルとの間に配置された第一の情報表示装置１００としての遠方に大型の虚像を投写するＨＵＤ装置を備え、フロントガラス６側には大型・高精細な映像表示パネルの画面をフロントガラスに設けた透明拡散シートで直接反射させ画面をドライバに観視させる第二の情報表示装置４８を連携させることで複数の映像情報を効率的に表示する。【選択図】図３
2020115158.tif 000002
【特許請求の範囲】
【請求項１】
車両のフロントガラスに映像光を反射させ観視者に映像情報を表示する情報表示システムであって、
前記映像光を前記フロントガラスで反射させて虚像を前記観視者に観視させる第一の情報表示装置と、
前記映像光を前記フロントガラスで反射させて反射映像を前記観視者に観視させる第二の情報表示装置と、を備え、
前記第一の情報表示装置により表示する映像の解像度は、前記第二の情報表示装置により表示する映像の解像度より低い、車両用情報表示システム。
【請求項２】
請求項１に記載の車両用情報表示システムにおいて、前記第一の情報表示装置は、ヘッドアップディスプレイ装置である、車両用情報表示システム。
【請求項３】
請求項１に記載の車両用情報表示システムにおいて、前記第二の情報表示装置は、発光源と、当該発光源からの光を映像情報によって変調して前記フロントガラスに反射させる映像表示装置である、車両用情報表示システム。
【請求項４】
請求項１に記載の車両用情報表示システムにおいて、前記第一の情報表示装置は、前記フロントガラスの上部領域に映像を表示し、前記第二の情報表示装置は、前記フロントガラスの下部領域に映像を表示する、車両用情報表示システム。
【請求項５】
請求項１に記載の車両用情報表示システムにおいて、前記第一の情報表示装置と前記第二の情報表示装置は、当該車両のコックピット内において、前記フロントガラスから、第二の情報表示装置、第一の情報表示装置の順に、ステアリングに向け配置されている、車両用情報表示システム。
【請求項６】
車両のフロントガラスに映像光を反射させ観視者に映像情報を表示する情報表示システムを構成するための情報表示装置であって、
一部に開口部を有する筺体の内部に、
映像情報を表示する映像光を生成する映像光生成手段と、
前記映像光生成手段からの映像光に所定の光学的な処理を施す映像光処理手段と、
前記映像光処理手段からの映像光を、前記筺体の開口部を介して観視者が前記映像情報を前記フロントガラスの前方に虚像として認識するように投写する手段と、を備えている、情報表示装置。
【請求項７】
請求項６に記載の情報表示装置において、前記筺体の開口部には、グレアストップが回転可能に設けられている、情報表示装置。
【請求項８】
請求項７に記載の情報表示装置において、前記グレアストップの片側面には、λ／４板またはλ／８板またはλ／１６板を配置してＳ偏光を透過する偏光層が設けられている、情報表示装置。
【請求項９】
車両のフロントガラスに映像光を反射させ観視者に映像情報を表示する情報表示システムを構成するための情報表示装置であって、
指向性の強い照明光束を発生するバックライト装置と、
前記バックライト装置からの指向性の強い照明光束を映像情報に応じて変調して前記フロントガラスに出射する表示パネルと、
前記フロントガラスの一部に設けられ、前記表示パネルからの映像光を観視者が前記フロントガラスの前方外景に重ねて反射像を認識するように変換する光方向変換パネルと、を備えている情報表示装置。
【請求項１０】
請求項９に記載の情報表示装置において、前記バックライト装置は、一部にフレネルレンズを含んでいる、情報表示装置。
【請求項１１】
請求項９に記載の情報表示装置において、前記光方向変換パネルは、一部に光束を所望の方向に屈折させるリニアフレネルレンズを含んでいる、情報表示装置。
【請求項１２】
請求項９に記載の情報表示装置において、映像表示面に接する略透明な基材からなる保護カバーを含み、当該保護カバーの光出射側の一部にブラックストライプが設けられた、情報表示装置。
【請求項１３】
請求項１２に記載の情報表示装置において、更に、前記保護カバーの互いに隣接する前記ブラックストライプの間に、反射防止膜が設けられた、情報表示装置。
【請求項１４】
請求項９に記載の情報表示装置において、映像表示面に接する略透明な基材からなる保護カバーを含み、当該保護カバーの光入射側には、光束のＰ波成分を吸収又は反射する膜又はフィルムが設けられた、情報表示装置。
【請求項１５】
請求項９に記載の情報表示装置において、映像表示面に接する略透明な基材からなる片面にリニアフレネルシートを設けた保護カバーが設けられた、情報表示装置。
【請求項１６】
車両のフロントガラスに映像光を反射させ観視者に映像情報を表示する情報表示システムを構成するための情報表示装置であって、
指向性の強い照明光束を発生するバックライト装置と、
前記バックライト装置からの指向性の強い照明光束を映像情報に応じて変調して前記フロントガラスに出射する表示パネルと、
前記フロントガラスの一部に設けられ、前記表示パネルからの映像光を観視者が前記フロントガラスの前方外景に重ねて反射像を認識するように変換する光方向変換パネルと、を備え、
前記光方向変換パネルは、映像光入射面から順にフロントガラスに向けて透明拡散シート、偏光板が順次配置されている、情報表示装置。
【請求項１７】
請求項１６に記載の情報表示装置において、前記光方向変換パネルを構成する偏光板は、S偏光の映像光を吸収する、情報表示装置。
【請求項１８】
請求項１６に記載の情報表示装置において、前記光方向変換パネルを構成する偏光板は、S偏光の映像光を反射する、情報表示装置。
【発明の詳細な説明】
【技術分野】
【０００１】
本発明は、自動車や電車や航空機等（以下では、総称して「車両」と言う）のフロントガラス又はコンバイナに画像を投影する情報表示システムに関し、その画像をフロントガラスで折り返してミラーの如く反射させてその実像又は虚像を観察するようにした車両用情報表示装置およびその情報表示装置に関する。
【背景技術】
【０００２】
自動車のフロントガラスやコンバイナに映像光を投写して虚像を形成し、ルート情報や渋滞情報などの交通情報、燃料残量や冷却水温度等の自動車情報を表示する所謂、ヘッドアップディスプレイ（ＨＵＤ：Ｈｅａｄ−Ｕｐ−Ｄｉｓｐｌａｙ）装置が以下の特許文献１により既に知られている。
【０００３】
この種の情報表示装置においては、ドライバが虚像を観視できる領域を拡大することが望まれる一方、虚像が高解像度で視認性が高いことも重要な性能要因である。
【０００４】
ヘッドアップディスプレイ装置は、映像表示装置に表示された映像を、凹面ミラー（凸レンズの作用）を含む光学系を用いてドライバに拡大像として虚像を提供するものであり、最終反射面としてフロントガラス又はコンバイナが必ず必要である。
【０００５】
上述されたヘッドアップディスプレイ装置に使用される映像表示装置としては、高品位な映像が容易に得られ、かつ、安価であることから、液晶表示素子（液晶表示パネル）が用いることが多いが、一方で、セットの小型化のために、小型の液晶表示素子が用いられることから、得られる投写画像の解像度が不足し、例えばスマートフォンなどに表示される高解像度な映像を表示するには不向きであると言う新たな課題が明確になった。
【０００６】
本発明は、上述したヘッドアップディスプレイ装置の解像度を補うため、ドライバがフロントガラスを介して観視する外部景観に対して映像表示領域ごとに異なる技術手段を用いて映像情報表示装置を併用する車両用情報表示システムと、かかるシステムに用い、高解像度な映像情報をドライバに提供するための情報表示装置を含めた情報表示装置を実現する技術手段に関する。
【０００７】
また、以下の特許文献２によれば、情報表示装置の映像源として使用する安価な液晶表示パネルを太陽光による損傷から守るために、液晶表示パネルからの表示光を通過させて赤外線を反射させる透過反射部材（ホットミラー）を、平行でない状態で、液晶表示パネルの前側に離間して設けるヘッドアップディスプレイ装置が既に知られている。
【０００８】
一方、異なる構造のヘッドアップディスプレイ装置として、以下の非特許文献１にも開示されるような自動車の天井（サンバイザー）付近にコンバイナを含めた本体を取り付ける装置も既に提案されているが、衝突事故を起こした時にＨＵＤ装置が外れた場合、運転者に怪我を負わせる可能性があるなど、なお安全上の課題が残る。そのためヘッドアップディスプレイ装置としては、今後、フロントガラスで直接映像光を反射させる方式が主流となると考えられている。
【先行技術文献】
【特許文献】
【０００９】
【特許文献１】特開２０１５−１９４７０７号公報
【特許文献２】特許第４７８８８８２号公報
【非特許文献】
【００１０】
【非特許文献１】ＰＩＯＮＥＥＲ  Ｒ＆Ｄ（Ｖｏｌ．２２,２０１３）
【発明の概要】
【発明が解決しようとする課題】
【００１１】
上記の従来技術である特許文献１に開示されたヘッドアップディスプレイ装置の例では、画像を表示するデバイスと表示デバイスに表示された画像を投写する投写光学系を備え、投写光学系として表示デバイスから観視者の光路において第一ミラーと第二ミラーを有し、第一ミラーにおける画像長軸方向の入射角と第一ミラーにおける画像短軸方向の入射角、及び、表示デバイスの画像表示面と第一ミラーとの間隔と、観視者によって視認される虚像の水平方向の幅の関係を所定の条件を満足させることで、装置を実現している。しかしながら、上述した映像の高解像度化についての具体的な解決手段は示されておらず、ましてや、昼間の所定条件下において太陽光がフロントガラスを通過して凹面ミラーで集光され液晶パネルと偏光板に像ダメージを与え性能が大幅に低下すると言う新たな問題に関しては、その記載すらなかった。
【００１２】
今後は、上記の特許文献１に記載されたフロントガラスを反射面とする方式が主流となると考えられるが、しかしスマートフォンを代表とする情報端末の表示映像の高解像度化に対する対応については全く考慮されていない。加えて、車両用情報表示装置の実用化には非常に重要な問題となる、昼間の所定の条件化で発生する、フロントガラスを透過して凹面ミラーで集光された太陽光が液晶表示装置の光出射側に設けられた偏光板や液晶パネルそのものに集光され、当該太陽光の熱と光線強度によって変質して正常な機能を果たさなくなる、所謂、焼け（炭化）の発生に対する対応策についても全く配慮されていない。
【００１３】
同様に、最終反射面がコンバイナである非特許文献１に開示された技術においても、表示映像の高解像度化や、映像表示素子を液晶パネルとした場合に昼間の所定条件化において太陽光がフロントガラスとコンバイナを通過して凹面ミラーで集光され液晶パネルと偏光板にダメージを与え性能が大幅に低下するという新たな問題に対しては、何ら配慮されていなかった。
【００１４】
更に、上記特許文献２においては、太陽光による液晶表示パネルの損傷のおそれを低減するため、太陽光の赤外線を選択的に反射させるための透過反射部材（ホットミラー）を光路上に配置することが提案されている。しかしながら、侵入する太陽光は赤外線だけではなく、可視領域や紫外領域の光線をも含んでおり、太陽光による液晶表示素子及び偏光板に与えるダメージを軽減するためには、赤外線の低減だけでは不十分であった。さらに可視光を含む外光の侵入による悪影響である運転者が視認する映像の品位、特に、コントラスト性能と見かけの解像度が大幅に低下すると言う新たな問題や表示映像の高解像度化に対する対応については、何等の考慮もされていなかった。
【００１５】
このように、上述した従来技術によるドライバに映像情報を提供する情報表示装置としてヘッドアップディスプレイ装置では、解像度の高い表示映像を得るためには大型液晶表示素子を使用する必要があり、そのため、装置の小型化と高解像度化を両立できないという第一の課題が明確になった。
【００１６】
更に、ヘッドアップディスプレイ装置の映像表示装置として使用する液晶パネルにおいては、実際に車載した場合、昼間の所定条件下において太陽光がフロントガラスを通過して凹面ミラーで集光され、液晶パネルと偏光板にダメージを与え、その結果、性能が大幅に低下すると言う第二の課題も明確になった。
【００１７】
本発明は、上述した従来技術における問題点に鑑みてなされたものであり、より具体的には、装置の小型化と高解像度化を両立可能で実用にも耐えうる車載用情報表示システムと、そのための情報表示装置を提供することを目的とする。
【課題を解決するための手段】
【００１８】
本発明では、上述した目的を達成するため、車両のフロントガラスに映像光を反射させ観視者に映像情報を表示する情報表示システムであって、映像光を前記フロントガラスで反射させて虚像を観視者に観視させる第一の情報表示装置と、映像光を前記フロントガラスで反射させて反射映像を観視者に観視させる第二の情報表示装置と、を備え、第一の情報表示装置により表示する映像の解像度は、第二の情報表示装置により表示する映像の解像度より低い車両用情報表示システムが提供される。
【００１９】
また、本発明では、車両のフロントガラスに映像光を反射させ観視者に映像情報を表示する情報表示システムを構成するための情報表示装置であって、一部に開口部を有する筺体の内部に、映像情報を表示する映像光を生成する映像光生成手段と、映像光生成手段からの映像光に所定の光学的な処理を施す映像光処理手段と、映像光処理手段からの映像光を、筺体の開口部を介して観視者が映像情報をフロントガラスの前方に虚像として認識するように投写する手段と、を備えている情報表示装置が提供される。
【００２０】
さらに、本発明では、車両のフロントガラスに映像光を反射させ観視者に映像情報を表示する情報表示システムを構成するための情報表示装置であって、指向性の強い照明光束を発生するバックライト装置と、バックライト装置からの指向性の強い照明光束を映像情報に応じて変調してフロントガラスに出射する表示パネルと、フロントガラスの一部に設けられ、表示パネルからの映像光を観視者がフロントガラスの前方に反射像として認識するように変換する光方向変換パネルと、を備えている情報表示装置が提供される。
【発明の効果】
【００２１】
上述した本発明によれば、ドライバが自車を運転する際にフロントガラスを介して観視する外部景観にフロントガラスで反射させ映像情報を得る情報表示装置としてフロントガラスの一部領域にはヘッドアップディスプレイ装置により遠方に大画面の虚像を表示し、他方、例えばフロントガラスの下端領域には大型高解像度の映像表示装置の映像をフロントガラスで反射させ反射像を直接ドライバや同乗者が観視できる車両用情報表示システムを提供することができる。この結果、ドライバが必要な情報をフロントガラスに解像度や映像の大きさを異にする映像を適宜表示することができる。
【００２２】
一方、上述した本発明によれば、ヘッドアップディスプレイ装置の小型化を実現しながら、太陽光を含む外光による運転者が観察する虚像の歪や収差を補正し、同時に、虚像光学系を形成する凹面ミラーにより、フロントガラスを通して入射する太陽光（ほとんどがP偏波成分）を含む外光が集光されて映像表示装置である液晶パネルや偏光板などにダメージを与えて性能を低下させることを軽減することが可能であり、即ち、太陽光を含む外光に含まれる幅広い範囲の波長光による悪影響を低減して優れた性能の虚像を形成する車両用情報表示システムのための情報表示装置を提供することが可能となる。
【図面の簡単な説明】
【００２３】
【図１】本発明の車両用情報表示システムを搭載する自動車の上面図及びフロントガラスの曲率半径の違いを説明する図である。
【図２】本発明の実施の形態に係る第一の情報表示装置の虚像光学系を含めた概略構成示す図である。
【図３】第一の情報表示装置や第二の情報表示装置とフロントガラスと運転者の視点位置と太陽光の関係を示す概略構成図である。
【図４】車両用情報表示システムの第一の情報表示装置とフロントガラスと画像表示位置と運転者の視点位置と太陽光の関係を示す概略構成図である。
【図５】車両用情報表示システムの第一の情報表示装置に係る略構成図である。
【図６】車両用情報表示システムの第一の情報表示装置に係る構成部品の作用を説明するための略構成図である。
【図７】車両用情報表示システムの第二の情報表示装置とフロントガラスと画像表示位置と運転者の視点位置と太陽光の関係を示す概略構成図である。
【図８】車両用情報表示システムの第二の情報表示装置の概略構成図である。
【図９】第二の情報表示装置に係る光源装置の構成を示す断面図である。
【図１０】第二の情報表示装置の光源装置の構成と作用を示す上面及び断面図である。
【図１１】第二の情報表示装置に係る光源装置を構成する光学部品の作用を説明するための説明図である。
【図１２】第二の情報表示装置に係る光学部品の構成を説明する概念図である。
【図１３】車両用情報表示システムを構成する第一の情報表示装置と第二の情報表示装置を設けた自動車のコックピットの一例を示す概略構成図である。
【図１４】車両用情報表示システムを構成する第一の情報表示装置と第二の情報表示装置を設けた自動車のコックピットの他の例を示す概略構成図である。
【図１５】車両用情報表示システムにおいてフロントガラスに粘着されるフィルムの構成を説明する図である。
【図１６】Ｓ偏光とＰ偏光による入射角度によるガラスの反射率変化を説明するための概略図である。
【図１７】太陽光の分光放射照度を示す図である。
【発明を実施するための形態】
【００２４】
以下、図面等を用いて、本発明の実施例について詳細に説明する。なお、本発明は以下の説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【００２５】
＜車両用情報表示システムの概要＞
図１（ａ）は、後述する本発明の実施例に係る情報表示装置１００を、自動車や電車や航空機等のうち、特に、自動車に搭載した上面図である。自動車１０１０の運転席前部には被投影部材としてのフロントガラス６が存在する。このフロントガラス６は自動車のタイプによって車体に対する傾斜角度が異なる。更に、発明者らは最適な虚像光学系を実現するためこの曲率半径も調査した。その結果、フロントガラス６は図１（ｂ）に示すように、自動車の接地面に対して水平な水平方向の曲率半径Ｒｈと水平軸に対して垂直方向の曲率半径Ｒｖとでは異なり、ＲｈとＲｖの間には一般に下記の関係が成り立つことが判った。
Ｒｈ＞Ｒｖ
また、この曲率半径の違い、即ち、Ｒｖに対するＲｈは１．５倍から２．５倍の範囲にあるものが多いことも判明した。
【００２６】
本発明では、ドライバが自車を運転する際にフロントガラスを介して観視する外部景観にフロントガラスで反射させ映像情報を表示する。情報表示装置は、フロントガラスを複数の領域に分割して、その一部領域にはヘッドアップディスプレイ装置により遠方に大画面の虚像を表示する。他方、例えばフロントガラスの下端領域には大型高解像度の映像表示装置の映像をフロントガラスで反射させ反射像を直接ドライバや同乗者が観視する。この結果、ドライバが必要な情報をフロントガラスの表示領域に応じて解像度や映像の大きさを異にして適宜表示可能な情報映像システムが提供される。
【００２７】
その一例としてのヘッドアップディスプレイ装置は、投写面に映像情報を虚像によって表示する情報表示装置であって、一部に開口部を有する筺体の内部に、映像情報を表示する映像光を生成する映像光生成手段と、前記映像光生成手段からの映像光に所定の光学的な処理を施す手段と、前記映像光処理手段からの映像光を、前記筺体の開口部を介して前記投写面に、観視者が映像情報を前記投写面の前方に虚像として認識可能とするように投写する手段とを備えた情報表示装置が提供される。
【００２８】
より具体的は、以下にも詳述するが、本発明の情報表示装置では、開口部に設けたグレアストップ４１にＰ波の太陽光を吸収する偏光板が設けられている。すなわち、偏光板は、Ｐ偏光の太陽光を吸収し、Ｓ偏光の太陽光を透過させる。偏光板は、例えば、λ／４板またはλ／８板またはλ／１６板である。グレアストップ４１にＰ波成分を吸収させることで、次の効果が得られる。
（１）昼間の所定条件化においてフロントガラスを通過したＰ偏光の太陽光成分（コンバイナ方式ではその後コンバイナも通過）を凹面ミラーの手前で吸収することで、フロントガラスを通過した太陽光が液晶パネルと偏光板に戻らないようにする。
（２）情報表示装置を使用しない場合には太陽光が映像表示装置に戻らないように凹面ミラーを所定の角度を回転させることで凹面ミラーにより集光される太陽光が映像表示装置に戻ることを防止する。
【００２９】
更に、フロントガラスの下端領域の映像表示領域に対応したダッシュボードの位置に大型高解像度の映像表示装置を設け、表示映像をフロントガラスで反射させ反射像を直接ドライバや同乗者が観視する情報映像システムが提供される。映像表示位置に対応したフロントガラスには映像光を散乱する作用を持つ透明スクリーンを設け効率よく反射させることで、映像をドライバや同乗者に実用上問題のないレベルの画質で提供することが出来る。前述した大型高解像度の映像表示装置は高輝度であるため映像光の出射方向を制御することで直接映像光がドライバや同乗者の眼に入ることを防止する。
【００３０】
＜車両用情報表示システムの第一の情報表示装置＞
図２は本発明の車両用情報表示装置の第一の情報表示装置の周辺機器構成を示す概略構成図であり、ここでは、その一例として、自動車のフロントガラス６に画像を投影する情報表示装置１００について説明する。本発明の一実施例である情報表示装置１００としてのヘッドアップディスプレイ装置は、運転者の視線（アイポイント：後に詳述する）８において自車両の前方に虚像Ｖ１を形成するため、被投影部材（本実施例では、フロントガラス６の内面）にて反射された各種情報を虚像ＶＩ（Ｖｉｒｔｕａｌ  Ｉｍａｇｅ）として表示する装置（所謂、ＨＵＤ（Ｈｅａｄ  ｕｐ  Ｄｉｓｐｌａｙ）)である。かかるＨＵＤ装置を構成する図示の制御装置４０は、ナビゲーションシステム６１から、自車両が走行している現在位置に対応する道路の制限速度や車線数、ナビゲーションシステム６１に設定された自車両の移動予定経路などの各種の情報を、前景情報（即ち、上記虚像により自車両の前方に表示する情報）として取得する。
【００３１】
また、図示の運転支援ＥＣＵ６２は、周辺監視装置６３での監視の結果として検出された障害物に従って駆動系や制御系を制御することで、運転支援制御を実現するための制御装置である。かかる運転支援制御としては、例えば、クルーズコントロール、アダプティブクルーズコントロール、プリクラッシュセーフティ、レーンキーピングアシストなどの周知技術を含む。
【００３２】
図示の周辺監視装置６３は、自車両の周辺の状況を監視する装置であり、一例としては、自車両の周辺を撮影した画像に基づいて自車両の周辺に存在する物体を検出するカメラや、探査波を送受信した結果に基づいて自車両の周辺に存在する物体を検出する探査装置などである。
【００３３】
上述したＨＵＤ装置の制御装置４０は、このような運転支援ＥＣＵ６２からの情報（例えば、先行車両までの距離及び先行車両の方位、障害物や標識が存在する位置など）を前景情報として取得する。更に、この制御装置４０には、イグニッション（ＩＧ）信号、及び、自車状態情報が入力される。これらの情報の内、自車状態情報とは、車両情報として取得される情報であり、解像度の高い表示を必要としない、例えば、内燃機関の燃料の残量や冷却水の温度など、予め規定された異常状態となったことを表す警告情報を含んでいる。また、方向指示器の操作結果や、自車両の走行速度、更には、シフトポジション情報なども含まれている。以上述べた制御装置４０は、イグニッション信号が入力されると起動する。以上が、本実施例の情報表示装置全体システムの説明である。
【００３４】
なお、被投影部材は、情報が投影される部材であればよく、前述したフロントガラス６だけではなく、その他、コンバイナであっても良い。即ち、本実施例の情報表示装置１００では、運転者の視線８において自車両の前方に虚像を形成して運転者に視認させるものであればよい。
【００３５】
上述した構成を有する情報表示装置１００では、情報を表示する映像光を投写する映像表示装置４と、映像表示装置４に表示された映像を凹面（自由曲面）ミラー１で虚像を形成する際に発生する歪や収差を補正するために補正用のレンズ素子２を備えている。この情報表示装置１００からの映像光束は開口部（図示せず）からフロントガラス６に向かって出射する。
【００３６】
また、情報表示装置１００は、更に、映像表示装置４やそのバックライトを制御する制御装置４０とを備えている。なお、上記映像表示装置４とバックライトなどを含む光学部品は、以下にも述べる虚像光学系であり、光を反射させる凹面ミラー１を含んでいる。また、この光学部品において反射した光は、被投影部材であるフロントガラス６にて反射されて運転者の視線８へと向かう。
【００３７】
なお、上記の映像表示装置４としては、例えば、バックライトを有するＬＣＤ（Ｌｉｑｕｉｄ  Ｃｒｙｓｔａｌ  Ｄｉｓｐｌａｙ）の他に自発光のＶＦＤ（Ｖａｃｕｕｍ  Ｆｌｏｕｒｅｓｃｅｎｔ  Ｄｉｓｐｌａｙ）などがある。
【００３８】
一方、上述した映像表示装置４に代えて、投写装置によりスクリーンに映像を表示して、前述の凹面ミラー１で虚像とし被投影部材であるフロントガラス６又はコンバイナ（図示せず）で反射して運転者の視点８に向かわせても良い。
【００３９】
ここで、虚像の歪みを低減するために凹面ミラー１の形状は、図１に示す上部（相対的に運転者の視点８との距離が短いフロントガラス６の下方で光線が反射する領域）では、拡大率が大きくなるように相対的に曲率半径が小さく、他方、下部（相対的に運転者の視点との距離が長いフロントガラス６の上方で光線が反射する領域）では、拡大率が小さくなるように相対的に曲率半径が大きくなる形状とすると良い。また、映像表示装置４を凹面ミラー１の光軸に対して傾斜させることで上述した虚像倍率の違いを補正して発生する歪みそのものを低減することによっても、更に良好な補正が実現できる。
【００４０】
一方、乗用車のフロントガラス６は、図１（ｂ）にも示すように、本体垂直方向の曲率半径Ｒｖと水平方向の曲率半径Ｒｈが異なり、一般には、Ｒｈ＞Ｒｖの関係にある。このため、反射面としてフロントガラス６を捉えると、凹面ミラー１のトロイダル面となる。このため、本実施の形態の情報表示装置１００では、凹面ミラー１の形状はフロントガラス６の形状による虚像倍率を補正するように、即ち、フロントガラス６の垂直方向と水平方向の曲率半径の違いを補正するように水平方向と垂直方向で異なる平均曲率半径とすれば良い。この時、凹面ミラー１の形状は、光軸に対称な球面または非球面（以下に［数２］で示す）形状では、光軸からの距離ｒの関数であり、離れた場所の水平断面と垂直断面形状を個別に制御できないことから、以下に［数１］で示す自由曲面としてミラー面の光軸からの面の座標（ｘ，ｙ）の関数として補正することが好ましい。
【００４１】
【数１】
2020115158.tif 000003
【００４２】
【数２】
2020115158.tif 000004
【００４３】
＜太陽光の装置内への侵入とその抑制原理＞
次に、車両の運転席における太陽光の上述した情報表示装置内への侵入について説明する。
図３は、車両の運転席の近傍における状態を示しており、上述した情報表示装置１００は、車体を構成するボンネット４４と天井板４５との間に取り付けられたフロントガラス６の下方において、例えば、速度計４２等の計器類を含むダッシュボードの裏側（後方のボンネット側）に配置されている。また、この図には、車両のステアリング４３や、運転者である観視者の目８と共に、車両の上方には昼間の太陽６０が示されている。また、図４は、図３の構成から、主に、太陽６０とフロントガラス６と観視者の目８とを取り出して示しており、図５は、情報表示装置１００の筐体７内に収納された構成を示している。
【００４４】
これら図３及び図４において、太陽６０からの強い光は、白抜きの矢印で示すように、車両のフロントガラス６に対して入射角θ１で入射し、その一部がフロントガラス６により反射された後、残りの光は、情報表示装置１００の上部に設けられた開口部に設けた、筐体内部に配置した光学素子や構造物で反射する映像に無関係な反射光を遮断するグレアストップ４１（図５参照）を通って当該装置の内部に侵入する。なお、この時、図４からも明らかなように、特に、５０度以上の入射角では、図４に示すように太陽光のＳ偏光成分（Ｓ波）の多くは上記のフロントガラス６上で反射される。その結果、情報表示装置１００内に侵入する太陽光の多くはＰ偏光成分（Ｐ波）となる。
【００４５】
他方、情報表示装置１００から出射される映像光は、図３及び図４において実線の矢印で示すように、フロントガラス６又はコンバイナ（図示せず）において反射されて観視者の目８に入射することとなる。
【００４６】
より具体的には、太陽光などの自然光は、図１７に示すように紫外線から赤外線までの幅広い波長領域の光であるばかりでなく、偏光方向も光の進行方向に垂直な振動方向の光と水平方向の光である２種類の偏光方向（以下Ｓ偏光とＰ偏光と記載）の光とが混ざった状態で存在する。前述したようにフロントガラス６への入射角度が５０度を超える領域では、図１６に示すように、ガラス面上での反射率は、Ｓ偏光やＰ偏光、更には、入射角によりそれぞれ異なる。
【００４７】
そこで、本実施例では、上述した発明者による知見に基づき、即ち、フロントガラス６を通して侵入する太陽光の多くはＰ偏光成分であることを考慮し、情報表示装置１００内に侵入する太陽光を含む外光を抑制するためには、特に、Ｐ波成分の低減が有効であること、加えて、情報表示装置１００から投写される映像光としては、Ｓ波成分を利用することが効果的であることを確認した。
【００４８】
＜第一の情報表示装置の具体的な実施例＞
続いて、上述した知見に基づいて構成された情報表示装置１００の具体的な光学的な構成について、以下に説明する。
【００４９】
本発明の一実施例としての情報表示装置１００の構成を、図３を基に説明する。映像表示装置４と凹面ミラー１の間に透過型光学部品として、例えばレンズ素子２が配置されている。レンズ素子２は、凹面ミラー１への光線の出射方向を制御することで凹面ミラー１の形状と合わせて得られる虚像の歪曲収差補正を行なうと同時に、前述したフロントガラス６の水平方向の曲率半径と垂直方向の曲率半径の違いによって生じる非点収差を含めた収差補正を行う。
【００５０】
また、収差補正能力を更に高めるために、上述したレンズ素子２は、複数枚のレンズで構成されても良い。又は、レンズ素子２の代わりに曲面（自由曲面）ミラーを配置して、曲面ミラーを用いて光路の折り返しを行うと同時に、凹面ミラー１への光線の入射位置を制御することで、歪曲収差を低減することも出来る。以上にも述べたように、更に、収差補正能力を向上させるために最適設計された光学素子を凹面ミラー１と映像表示装置４の間に設けても、本発明の技術的思想又は範囲を逸脱するものではないことは言うまでもない。更に、上述したレンズ素子２の光軸方向の厚さを変化させることで、本来の収差補正の他に凹面ミラー１と映像表示装置４の光学的な距離を変えて、虚像の表示位置を遠方から近接位置まで、連続的に変化させることも出来る。
【００５１】
車外から注ぎ込む太陽光はフロントガラス６によってＳ偏光成分が反射されＰ偏光成分が車内に向け透過し開口部から情報表示装置１００に入射する。開口部に設けたグレアストップ４１の片面には、入射した太陽光のうちＰ波成分を吸収し、Ｓ偏光を透過する偏光板を設ける。更に、グレアストップ４１の他方の面または偏光板の太陽光入射面には、紫外線領域と赤外線領域の光を反射する反射膜を設ける。この結果、可視光領域のＰ偏波と紫外線領域と赤外光領域のほとんどの光が映像表示装置４に入射することが無くなり、結果として映像表示装置４が受ける太陽光のダメージが軽減される。
【００５２】
一方、情報表示装置１００の画質を低下させる要因として、映像表示装置４から凹面ミラー１に向かって出射する映像光線が途中に配置されたレンズ素子２の表面で反射して映像表示装置４に戻り、再度反射して本来の映像光に重畳されて、画質を低下させることが知られている。このため、本実施例では、レンズ素子２の表面に反射防止膜を成膜して反射を抑えるだけでなく、さらに、レンズ素子２の映像光入射面と出射面のいずれか一方、若しくは、両方のレンズ面形状を、上述した反射光が映像表示装置４の一部分に集光しないような形状（例えば、映像表示装置４に凹面を向けた形状）となるよう、その面形状に制約を持たせて設計することが好ましい。
【００５３】
前述したグレアストップ４１の偏光板の映像表示装置４側にλ／１６板（明るさとの兼ね合いでλ／４またはλ／８など最適選択する）を設け、更に、その取り付け角度を調整する機構を設け、例えば、図に破線で示す位置に移動させること、で映像表示装置４からの出力であるＳ偏波の映像光の偏光角度を変化させる。この結果ドライバが偏光サングラスを装着していても本発明のグレアストップ４１に設けられた波長板の取り付け角度を適宜変化させれば十分な明るさと色の全面性に優れた虚像を得ることが出来る。
【００５４】
また、グレアストップ４１に設けた偏光板は、車内に入射した太陽光のＰ偏光成分を吸収しても、光を受ける偏光板の面積が開口部と同じであるため信頼性を損なうことが無い。更に、この偏光板はＳ偏光を選択的に透過させるため情報表示装置１００により得られる虚像のコントラスト性能を向上させるという効果もある。
【００５５】
一方、図５及び図６に示した本発明の情報表示装置１００に使用する光源装置１０としては、製品寿命が長い固体光源を採用することが好ましい。例えば、光源装置１０は、周囲温度の変動に対する光出力変化が少ないＬＥＤ（Ｌｉｇｈｔ  Ｅｍｉｔｔｉｎｇ  Ｄｉｏｄｅ）と、光の発散角を低減する光学手段を設けた偏光ビームスプリッタ（ＰＢＳ：Ｐｏｌａｒｉｚｉｎｇ  Ｂｅａｍ  Ｓｐｌｉｔｔｅｒ）とを備え、ＰＢＳにより偏光変換を行なうことが好ましい。
【００５６】
液晶パネルのバックライト側（光入射面）とレンズ素子２側（光出射面）には、ここでは図示しない偏光板が配置されており、これにより、映像光のコントラスト比を高めている。バックライト側（光入射面）に設ける偏光板には、偏光度が高いヨウ素系のものを採用すれば、高いコントラスト比が得られる。一方、レンズ素子２側（光出射面）には染料系の偏光板を用いることによれば、外光が入射した場合や環境温度が高い場合でも、高い信頼性を得ることが可能となる。
【００５７】
映像表示装置４として液晶パネルを用いる場合、特に、運転者が偏光サングラスを着用している場合には、特定の偏波が遮蔽されて映像が見えない不具合が発生する。これを防ぐために、上述したように情報表示装置内部で発生するグレアがドライバの視線に戻らないように開口部に設けたグレアストップ４１の片側の面にλ／４板またはλ／８またはλ／１６板が配置される。この板により、グレアが特定の偏光方向に揃えられる。また、グレアストップ４１を図５に示す位置から図６に破線で示す位置４６まで回転させることで、映像光の偏光角を適宜変更し、円偏光に変換するか直線偏光の偏光軸を回転させて、偏光サングラスの偏光方向と異なる偏光軸とすることが好ましい。一方、偏光軸を回転させて円偏光に近づけると、情報表示装置からの映像光はＳ偏光から偏光軸が回転するためフロントガラス６による反射率が低下し映像の明るさが低下するので、両者のバランスを取って選択すると良い。
【００５８】
発明者らは、この時得られる映像の色むら（全面白表示における画面全体の色の均一性）を低減するためには、映像光束が最も広がるグレアストップの位置に所定の波長板を設けることが効果的であることを実験により求めた。
【００５９】
＜車両用情報表示システムの第二の情報表示装置＞
続いて、本願発明の情報表示システムの第二の情報表示装置についての具体的な光学的な構成について、以下に説明する。
【００６０】
＜第二の情報表示装置の具体的な実施例＞
本願発明の第二の情報表示装置である情報表示装置４８としては、図３や図７にも示すように、例えばスマートフォン３００等からの高解像度の映像（大型高解像度の映像表示装置の映像）を、フロントガラス６の表面に設けたフィルム（例えば、透明フィルムやシート等）５１で観視者の眼に向かって反射させることで、疑似的にフロントガラス上に映像を表示する。
【００６１】
次に、情報表示装置４８の構成について図８を用いて説明する。映像表示素子（液晶表示パネル）５２は、画面サイズが６インチを超える比較的大型な液晶表示パネルにより構成される。一般的に、フロントガラス６の曲率半径は部分的に異なることが多いため、映像を反射させる場所によって表示映像に不均一（縦方向と横方向）な歪が発生する。このため観視方向から反射像を見た場合に正しい映像を得るために歪補正が必要となる。この歪補正によって実用上問題のないレベルの補正を行うにはパネルの解像度は１２８０×７２０ドット以上が必要となる。
【００６２】
図９には、映像表示素子５２と共に、その下方には、その光源を構成する光源装置１０１を展開斜視図として示している。この映像表示素子（液晶表示パネル）５２は、バックライト装置である光源装置１０１により指向性の強い照明光束を得て、フロントガラス６に設けたフィルム５１に向かって映像信号に応じて変調をかけた映像光を出射する。この図９では、情報表示装置４８は、映像表示素子５２とともに、光源装置１０１からの出射光束３０の指向特性を制御する光方向変換パネル５４及び第２の拡散板１８ｂを備えている。即ち、情報表示装置４８（図８参照）の両面には偏光板が設けられ、特定の偏波の映像光が映像信号により光の強度を変調して出射する構成となっている。これにより、スマートフォン３００等からの高解像度の映像（大型高解像度の映像表示装置の映像）をフロントガラス６に投写し、その表面に設けたフィルム５１により、観視者の眼に向かって反射させる。
【００６３】
また、光源装置１０１は、例えば、プラスチックなどにより形成されている。光源装置１０１は、後にも詳述するＬＥＤ、コリメータ、合成拡散ブロック、導光体等、これらを内部に収納する光源装置１０１のケース（図８参照）を備えている。光源装置１０１の上面には、情報表示装置４８映像表示素子５２が取り付けられている。また、光源装置１０１のケースのひとつの側面には、半導体光源であるＬＥＤ（Ｌｉｇｈｔ  Ｅｍｉｔｔｉｎｇ  Ｄｉｏｄｅ）素子やその制御回路を実装したＬＥＤ基板１０２（図９−１０を参照）が取り付けられていると共に、ＬＥＤ基板１０２の外側面には、ＬＥＤ素子および制御回路で発生する熱を冷却するためのヒートシンク１０３が取り付けられている（図８参照）。
【００６４】
他方、光源装置１０１の上面に取り付けられた映像表示素子５２は、液晶表示パネルフレームと、当該フレームに取り付けられた液晶表示パネルと、更に、当該パネルに電気的に接続されたＦＰＣ（Ｆｌｅｘｉｂｌｅ  Ｐｒｉｎｔｅｄ  Ｃｉｒｃｕｉｔｓ：フレキシブル配線基板）４０３（図８参照）などから構成されている。即ち、映像表示素子５２は、後にも詳細に説明するが、固体光源であるＬＥＤ素子と共に、電子装置を構成する制御回路（ここでは図示せず）からの制御信号によって、表示される映像が生成され、制御される。
【００６５】
続いて、光源装置１０１の構成、即ち、光源装置１０１のケース内に収納されている光学系について、以下に図９及び図１０を参照しながら詳細に説明する。
【００６６】
図９及び図１０には、光源を構成する複数（本例では、２個）のＬＥＤ１４ａ、１４ｂ（ここでは、図示せず）が示されており、これらはＬＥＤコリメータ１５に対して所定の位置に取り付けられている。なお、このＬＥＤコリメータ１５は、各々、例えば、アクリル等の透光性の樹脂により形成されている。そして、このＬＥＤコリメータ１５は、図１０（ｂ）にも示すように、放物断面を回転して得られる円錐凸形状の外周面１５６を有すると共に、その頂部では、その中央部に凸レンズ部（即ち、凸レンズ面）１５７を形成した凹部１５３を有する。また、凸レンズ部１５７の中央部には、外側に突出した凸レンズ面（あるいは、内側に凹んだ凹レンズ面でもよい）１５４を有している。なお、ＬＥＤコリメータ１５の円錐形状の外周面を形成する外周面１５６は、ＬＥＤ１４ａから周辺方向に出射する光をその内部で全反射することが可能な角度の範囲内において設定され、あるいは、反射面が形成されている。
【００６７】
他方、ＬＥＤ１４ａ、１４ｂは、その回路基板である、所謂、ＬＥＤ基板１０２の表面上の所定の位置にそれぞれ配置されている。このＬＥＤ基板１０２は、ＬＥＤコリメータ１５に対して、その表面上のＬＥＤ１４ａ又は１４ｂが、それぞれ、その凹部１５３の中央部に位置するように配置されて固定される。
【００６８】
かかる構成によれば、上述したＬＥＤコリメータ１５によって、ＬＥＤ１４ａまたは１４ｂから放射される光のうち、特に、その中央部分から上方（図の右方向）に向かって放射される光は、ＬＥＤコリメータ１５の外形を形成する凸レンズ部１５７、凸レンズ面１５４により集光されて平行光となる。また、その他の部分から周辺方向に向かって出射される光は、ＬＥＤコリメータ１５の円錐形状の外周面を形成する放物面によって反射され、同様に、集光されて平行光となる。換言すれば、その中央部に凸レンズを構成すると共に、その周辺部に放物面を形成したＬＥＤコリメータ１５によれば、ＬＥＤ１４ａまたは１４ｂにより発生された光のほぼ全てを平行光として取り出すことが可能となり、発生した光の利用効率を向上することが可能となる。
【００６９】
なお、ＬＥＤコリメータ１５の光の出射側には、以下にも詳述する偏光変換素子２１が設けられている。この偏光変換素子２１は、図からも明らかなように、断面が平行四辺形である柱状（以下、平行四辺形柱）の透光性部材と、断面が三角形である柱状（以下、三角形柱）の透光性部材とを組み合わせ、ＬＥＤコリメータ１５からの平行光の光軸に対して直交する面に平行に、複数、アレイ状に配列して構成されている。更に、これらアレイ状に配列された隣接する透光性部材間の界面には、交互に、ＰＢＳ膜２１１と反射膜２１２とが設けられており、また、偏光変換素子２１へ入射してＰＢＳ膜２１１を透過した光が出射する出射面には、１／２λ位相板２１３が備えられている。
【００７０】
この偏光変換素子２１の出射面には、更に、図１０（ａ）にも示す矩形状の合成拡散ブロック１６が設けられている。即ち、ＬＥＤ１４ａまたは１４ｂから出射された光は、ＬＥＤコリメータ１５の働きにより平行光となって合成拡散ブロック１６へ入射し、出射側のテクスチャー１６１により拡散された後、以下に述べる導光体１７に到る。
【００７１】
導光体１７は、例えば、アクリル等の透光性の樹脂により断面が略三角形（図１０（ｂ）参照）の棒状に形成された部材であり、そして、図１０（ａ）からも明らかなように、上記合成拡散ブロック１６の出射面に第１の拡散板１８ａを介して対向する導光体光入射部（導光体光入射面）１７１と、斜面を形成する導光体光反射部（導光体光反射面）１７２と、第２の拡散板１８ｂを介して上記映像表示素子５２を含む液晶表示パネルと対向する導光体光出射部（導光体光出射面）１７３とを備えている。
【００７２】
この導光体１７の導光体光反射部１７２には、その一部拡大図である図９に示すように、多数の反射面１７２ａと連接面１７２ｂとが交互に鋸歯状に形成されている。そして、反射面１７２ａ（図では右上がりの線分）は、図において一点鎖線で示す水平面に対してαｎ（ｎ：自然数であり、本例では、例えば、１〜１３０である）を形成している。一例として、ここでは、αｎは４３度以下（但し、０度以上）に設定されている。
【００７３】
この結果、導光体光入射部１７１は、光源側に傾斜した湾曲の凸形状に形成されている。これによれば、合成拡散ブロック１６の出射面からの平行光は、第１の拡散板１８ａを介して拡散されて導光体１７へ入射し、図からも明らかなように、導光体光入射部１７１により上方に僅かに屈曲（偏向）しながら導光体光反射部１７２に達する。
【００７４】
以上に詳述したように、上述した本発明になる情報表示装置４８によれば、光利用効率やその均一な照明特性をより向上すると同時に、モジュール化されたＳ偏光波の光源装置を含め、小型かつ低コストで製造することが可能となる。なお、上記の説明では、偏光変換素子２１をＬＥＤコリメータ１５の後に取り付けるものとして説明したが、本実施の形態はそれに限定されることなく、液晶表示パネルに至る光路中のいずれかの場所に設けることによっても同様の作用・効果が得られることは、当業者であれば明らかであろう。
【００７５】
なお、この導光体光反射部１７２には、多数の反射面１７２ａと連接面１７２ｂとが交互に鋸歯状に形成されている。第１の拡散板１８ａを介して拡散された拡散光は、各々の反射面１７２ａ上で全反射されて上方に向かう。上方に向かった拡散光は、導光体光出射部１７３や第２の拡散板１８ｂを介して、平行な拡散光束として指向特性を制御する光方向変換パネル５４に入射する。この拡散光束に対し、光方向変換パネル５４は、この拡散光束に対する光の方向変換を行う。光方向変換が行われた拡散光束は、光方向変換パネル５４から、例えば図９に示す方向に出射し、映像表示素子５２へ斜め方向から入射する。
【００７６】
図１１は、上述した情報表示装置４８に設けられる光方向変換パネル５４の原理を説明するための概略説明図である。導光体からの光束は光方向変換パネルの入射面から入射し、出射面に設けられたリニアフレネルレンズのレンズ作用によりに所望の方向θ３に光束を屈折させる。この時、所望の方向θ３は光束のリニアフレネルレンズへの入射角θ２とリニアフレネルレンズのフレネル角θ0と基材の屈折率ｎによりスネルの法則から一義的に導き出される。この結果、導光体からの平行光束に所望の方向に指向性を与えることが出来る。
【００７７】
同様に図１１に示した構造のリニアフレネルレンズを映像表示装置４８の光出射面に設けることで映像光束の反射面に成るフロントガラス６の方向に指向性を持たせる。この結果、ドライバが直接、映像表示装置４８の画面を覗いても映像光が直接目に届かないので運転の支障になることがない。リニアフレネルレンズのピッチは、映像表示装置４８の画素ピッチの１／３以下であることが望ましい。例えば、画素とリニアフレネルレンズのピッチ比で発生するモアレを実用上問題のないレベルまで軽減するには、リニアフレネルレンズのピッチは、画素ピッチの１／７以下であることが好ましい。またリニアフレネルレンズを摩耗などから保護するために保護カバー（破線で図示）が表面に設けられる。
【００７８】
図１２は、上述した情報表示装置４８のダッシュボード４７に接する保護カバー５０の概略構成を示す横断面図である。略透明な基材５６の光出射側の一部にはブラックストライプ５９が設けられる。ブラックストライプ５９は、太陽光を含めた外光の表面反射を低減する。ブラックストライプ５９には、例えば、カーボンブラックを含んだ黒色塗料が用いられる。また、ブラックストライプを設けない部分には、表面反射を抑えるための反射防止膜が設けられる。反射防止膜により、保護カバー５０の表面での外光反射が大幅に軽減され、ドライバが自車を運転する際の外光反射による支障が軽減される。
【００７９】
他方、略透明な基材５６の光入射側には、太陽光束のうちＰ波成分を吸収又は反射する膜又はフィルム５８を、成膜又は粘着する。この結果、太陽光のＰ波成分が情報表示装置４８に入射することが無いため、耐光性や耐熱性に関する信頼性が大幅に向上する。一方、フィルム５８は、情報表示装置４８からの出力されるＳ偏波の映像光を選択的に透過するフィルターの特性も併せ持つため、得られる映像のコントラスト性能が大幅に向上する。
【００８０】
なお、上述した映像表示装置４８の映像源が液晶パネルであるため、前述した情報表示装置１００と同様に、運転者が偏光サングラスを着用している場合には、特定の偏波が遮蔽されて映像が見えない不具合が発生する。これを防ぐために、情報表示装置４８保護カバー５０のフィルム５８と、基材５６との間には、λ／４板またはλ／８またはλ／１６板などの位相差板５７が配置されている。位相差板５７を設けることにより、光束の偏光方向を特定の方向に揃え、映像光が最適な偏光角として、偏光サングラスの偏光方向と所望量偏光軸をずらすと良い。
【００８１】
一方、偏光軸を回転させて円偏光に近づけると、情報表示装置からの映像光の偏光軸がＳ偏光から回転する。このため、フロントガラス６による反射率が低下し映像の明るさが低下するので、両者のバランスを取って選択すると良い。
【００８２】
＜車両用情報表示システムの具体的な実施例＞
上述した情報表示装置１００と情報表示装置４８を含む本発明の情報表示システムを配置した自動車のコックピット内の配置の一例を図１３に示す。図１３（ａ）は、左側にステアリングを配置した自動車に対応したシステムを、図１３（ｂ）は、右側にステアリングを配置した自動車に対応したシステムを示す。図の画像表示領域１（ａ）には、情報表示装置１００を用いて映像情報をフロントガラス６で反射させ、虚像をドライバに観視させる。画像表示領域１（ｂ）には、情報表示装置４８に表示された映像情報をフロントガラスで反射させ、実映像をドライバに観視させる。なお、映像情報を、フィルム５１を設けたコンバイナで反射させても良い。
【００８３】
情報表示装置１００と情報表示装置４８は、図３に示すように、フロントガラス６とステアリング４３との間に配置されている。ダッシュボード４７内部には、フロントガラス６からステアリング４３に向けて、映像表示装置４８、情報表示装置１００が順次配置される。この結果、ドライバが自車を運転する際にフロントガラス６を介して観視する外部景観には、フロントガラス６で反射させ映像情報を得る情報表示システムとしてフロントガラス６を複数の領域に分割して、その一部領域には情報表示装置１００として、ヘッドアップディスプレイ装置により遠方に大画面の虚像を表示し、他方、例えばフロントガラスの下端領域（自車のボンネットの範囲に映像を表示する）には第二の情報表示装置として、大型高解像度の情報表示装置４８の映像をフロントガラス６で反射させ反射像を直接ドライバや同乗者が観視する情報映像システムを提供する。この結果、ドライバが必要な情報をフロントガラス６の表示領域に応じて解像度や映像の大きさを異にして適宜表示できる。
【００８４】
なお、図１３のルームミラー７１にはドライバの状態監視と自動車内の様子をモニタするカメラ７２を設け、例えばドライバの目の高さに合わせて前述した情報表示装置からの映像光の出射方向を制御する。
【００８５】
図１４は、助手席の同乗者にも映像情報を提供する情報映像システムを示した概略図であり、図１３と同様に、図１４（ａ）は左側にステアリングを配置した自動車に対応したシステムを、図１４（ｂ）は右側にステアリングを配置した自動車に対応したシステムを示す。画像表示領域１（ａ）には、情報表示装置１００を用いて映像情報をフロントガラスで反射させ、虚像をドライバに観視させる。画像表示領域１（ｂ）には、情報表示装置４８に表示された映像情報をフロントガラスで反射させ、実映像をドライバに観視させる。これにより、同乗者には、映像表示装置４８と同様の構成を備えた装置（図示は省略）により表示された映像情報をフロントガラスの画像表示領域１（ｃ）に反射させ、実映像をドライバに観視させる。
【００８６】
なお、画像表示領域１（ｂ）及び画像表示領域１（ｃ）に対応するフロントガラス６には、既述のフィルム５１（図７参照）を粘着または接着することは明らかであろう。
【００８７】
次に、フィルム５１の構成を図１５により説明する。フロントガラス６（説明の都合上、水平配置とする）に斜め方向から入射する太陽光は、そのＳ偏波は反射し、Ｐ偏波が透過してフィルム５１に向かう。フィルム５１はＳ波を透過する偏光板５５ｂと透明拡散シート５５ａで構成されている。透明拡散シート５５ａは、屈折率の大きいナノ粒子ジルコニウムやナノ粒子ダイヤモンドを分散させた熱可塑性高分子を溶かしながら延伸したフィルムであり、例えばＪＸＴＧエネルギー社製「カレイドスクリーン」等である。透明拡散シート５５ａを用いることで、映像を表示していない場合には透明であり、ドライバが外界（車外）の風景観監する妨げとならない。他方、映像表示時には、映像光を拡散させドライバや同乗者に映像情報を視認させることが可能となる。
【００８８】
情報表示装置４８からの映像光はＳ偏波であるが、前述した透明拡散シート５５ａの内部で散乱した映像光の一部はフロントガラス６に向かって偏光方向が回転され、その一部はＰ偏光に近くなる。この光は偏光板５５ｂで吸収されるため、フロントガラス６の外界と接する面で反射することが無い。こにため、フィルム５１で反射した映像は、フロントガラス６の反射映像により生じる二重像となることはない。
【００８９】
同様に、映像の反射面としてフロントガラス６の代わりにコンバイナに前述したフィルム５１を貼っても同様の効果が得られることは言うまでもない。
【００９０】
以上述べた本願発明の情報表示システム及び第一の情報表示装置では、（１）昼間の所定条件化においてフロントガラスを通過したＰ偏光の太陽光成分（コンバイナ方式ではその後コンバイナも通過）を凹面ミラーの手前で吸収することで液晶パネルと偏光板に戻らないようにする。
（２）第一の情報表示装置を使用しない場合には、太陽光が映像表示装置に戻らないように凹面ミラーを所定の角度を回転させることで凹面ミラーにより集光される太陽光が映像表示装置に戻ることを防止する。
【００９１】
更に、フロントガラスの下端領域の映像表示領域に対応したダッシュボードの位置に大型高解像度の第二の情報表示装置を設け、その表示映像をフロントガラスで反射させ反射像を直接ドライバや同乗者が観視する情報映像システムを提供する。第二映像表示位置に対応したフロントガラスには映像光を散乱する作用を持つ透明スクリーンを設け、効率よく反射させることで映像をドライバや同乗者に実用上問題のないレベルの画質で提供することが出来る。前述した大型高解像度の第二映像表示装置は、高輝度であるため、映像光の出射方向を制御することで直接映像光がドライバや同乗者の眼に入ることを防止する。
【００９２】
本実施の形態によれば、ドライバが自車を運転する際にフロントガラスを介して観視する外部景観にフロントガラスで反射させた映像情報を重ねて得る情報表示装置として、フロントガラスを複数の領域に分割してその一部領域にはヘッドアップディスプレイ装置で遠方に大画面の虚像を表示し、他方、例えばフロントガラスの下端の領域には大型高解像度の映像表示装置の映像をフロントガラスで反射させて反射像を直接ドライバや同乗者が観視し、その結果、例えばスマートフォンを代表とする情報端末の表示映像が高解像度化することに対応可能な高画質な映像情報を得ることが出来る車載用情報表示システムとそのための情報表示装置が提供されることとなる。
【００９３】
更に、大型高解像度映像表示装置においても、主に太陽光の赤外成分だけでなく幅広い範囲の波長の光のＰ偏光成分の一部を吸収させることで映像表示装置に入射する光のエネルギーを低減する。また、高解像度映像表示装置（例えば液晶表示パネル）の表面に保護カバーを設けその一面に光吸収層を設けて太陽光の一部を吸収させ、他方の面に偏光板を設けてＰ波の太陽光を吸収させることで液晶表示装置（例えば液晶表示パネル）と一体化した偏光板が受ける悪影響を低減することが可能となる。
【００９４】
また、大型高解像度映像表示装置の映像光は指向性を持たせ直接光がドライバの眼に入らないように配置する。映像光を発散光から指向性のある光束とすることで光の利用効率を高めることもできる。
【００９５】
以上、種々の実施例について詳述したが、しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００９６】
１００…情報表示装置（第一の情報表示装置）、１…凹面ミラー、２…レンズ素子、４…映像表示装置（液晶表示素子、液晶表示パネル）、６…フロントガラス（被投影部材）、７…筐体、Ｖ１…虚像、８…アイポイント（観察者の眼）、１０１…光源装置、４１…グレアストップ、４３…ステアリング、４７…ダッシュボード、４８…情報表示装置（第二の情報表示装置）、５０…保護カバー、５１…フィルム、５５ａ…透明拡散シート、５５ｂ…偏光板、５７…位相差板、５８…フィルム、５２…映像表示素子、５９…ブラックストライプ、１０１０…自動車、３００…スマートフォン
【図１】
2020115158.tif 000005
【図２】
2020115158.tif 000006
【図３】
2020115158.tif 000007
【図４】
2020115158.tif 000008
【図５】
2020115158.tif 000009
【図６】
2020115158.tif 000010
【図７】
2020115158.tif 000011
【図８】
2020115158.tif 000012
【図９】
2020115158.tif 000013
【図１０】
2020115158.tif 000014
【図１１】
2020115158.tif 000015
【図１２】
2020115158.tif 000016
【図１３】
2020115158.tif 000017
【図１４】
2020115158.tif 000018
【図１５】
2020115158.tif 000019
【図１６】
2020115158.tif 000020
【図１７】
2020115158.tif 000021